(57)【特許請求の範囲】
【請求項１】
隠しスライドファスナーのファスナーテープ２における開離嵌挿具１３を装着するファスナーエレメント３を除去したスペース部５の表面に、補強テープ１０を貼着してＵ字状に成形した縁部９の表面を被覆し、該縁部９の裏面からファスナーエレメント除去部６にかけて、包被する形で開離嵌挿具１３の箱棒１５または蝶棒１６を装着し、ファスナーテープ２のＵ字状の縁部９の表面が露呈する形に形成してなることを特徴とする開離嵌挿具付隠しスライドファスナー。
【発明の詳細な説明】
【０００１】
【発明の属する技術分野】
この発明は、隠しスライドファスナーにおける開離嵌挿具を装着する部分のファスナーテープにおける折返部分の補強と保護を図った開離嵌挿具付隠しスライドファスナーに関するものである。
【０００２】
【従来の技術】
従来、隠しスライドファスナーにおける開離嵌挿具を装着する部分のファスナーテープの補強は、長尺のファスナーチェンにおけるファスナーテープにファスナーエレメントの存在しないスペース部を形成し、このスペース部の全域にわたって合成樹脂液を浸透させ、ファスナーテープの対向縁部がＵ字状に反転するように加熱成形して硬化させ、スペース部のファスナーテープをカットして、一方に開離嵌挿具の箱棒、他方に蝶棒を合成樹脂を用いて射出成形して取り付ける隠しスライドファスナーの開離嵌挿具の取付部が特開平６−２４５８０６号公報に開示されている。
【０００３】
また、隠しスライドファスナーのファスナーテープにおける開離嵌挿具を装着する部分の強度を保持するとともに、ファスナーテープの表面における柔軟な感触を得るため、ファスナーテープの裏面に合成樹脂フィルムを溶着してＵ字状に成形し、この部分に箱棒、蝶棒を取り付けた隠しスライドファスナーの開離嵌挿具が知られている。
【０００４】
【発明が解決しようとする課題】
前項で述べた隠しスライドファスナーのファスナーチェンにおけるスペース部に合成樹脂液を浸透させて、ファスナーテープの対向縁部をＵ字状に反転するように加熱成形した開離嵌挿具の取付部は、隠しスライドファスナーに初めて開離嵌挿具を装着できるように形成し、実用化させたことは特記すべきであるが、ファスナーチェンのスペース部分のファスナーテープがきわめて硬直化し、商品として違和感を与える点で考慮すべきである。そこで考えられたのが、ファスナーテープの裏面に合成樹脂フィルムを溶着させ、開離嵌挿具の取付部を補強するとともに柔軟な感触を与える隠しスライドファスナーが作製されたが、この隠しスライドファスナーは、使用中において開離嵌挿具の蝶棒をスライダーおよび箱体へ挿入する際、スペース部のＵ字状の折返縁部におけるファスナーテープが、スライダーの案内柱と摺接して摩耗し、ほつれて長期の使用に耐えられないことがわかった。
【０００５】
この発明は、この点を考慮して発明されたものであり、この発明の請求項１記載の発明は、隠しスライドファスナーのファスナーテープにおける開離嵌挿具を取り付けるファスナーエレメントを除去したスペース部分の表面をある程度の柔軟性を保ち、スペース部のＵ字状の縁部を有効に活用できる形に開離嵌挿具の箱棒、蝶棒を取り付けることができ、そのうえ蝶棒をスライダーおよび箱体へ挿入する際、スライダーにおける案内柱が摺接することによって、ファスナーテープのＵ字状の縁部が摩耗してほつれることがなく、長期にわたって良好な使用ができる開離嵌挿具付隠しスライドファスナーを提供することが主たる目的である。
【０００６】
【課題を解決するための手段】
前記の目的を達成するため、この発明の請求項１記載の発明は、隠しスライドファスナーの長尺のファスナーチェン１に形成する開離嵌挿具１３を取り付けるための、ファスナーエレメント３を除去したスペース部５の表面に、補強テープ１０たとえばポリエステル系エラストマーフィルムをポリエステル系ホットメルト形接着剤１１ｂを介して超音波溶接加工によって、ファスナーテープ２に貼着し、スペース部５の縁部９をＵ字状に成形して、縁部９の表面を補強テープ１０で被覆して保護し、この縁部９の裏面からファスナーエレメント３を除去したスペース部５にかけて、包被する形態で開離嵌挿具１３の箱棒１５または蝶棒１６を取り付け、ファスナーテープ２におけるＵ字状の縁部９の表面が開離嵌挿具によって覆われることがなく、表面へ現れ出る形に形成し、スライダー２０の案内柱２２が摺接しても、スペース部５のファスナーテープ２に損傷を与えることがない開離嵌挿具付隠しスライドファスナーを主な構成とするものである。
【０００７】
【発明の実施の形態】
以下、この発明における開離嵌挿具付隠しスライドファスナーの実施の形態について、図面を参照しながら具体的に説明する。
【０００８】
この発明のスライドファスナーは、ファスナーエレメントが表面から見えない隠蔽タイプの隠しスライドファスナーであって、図１に示すように長尺状のファスナーチェン１には、ファスナーテープ２の一側縁を折り返してＵ字状に成形した縁部９に沿ってファスナーエレメント３が取り付けられている。この実施例のファスナーエレメント３としては、ポリアミド、ポリエステルなどのモノフィラメントをコイル状に捲回して形成したコイル状ファスナーエレメント３を用いている。そしてファスナーチェン１の長手方向に一定間隔でコイル状ファスナーエレメント３が存在しないスペース部５が設けられている。スペース部５におけるファスナーテープ２の縁部９には、一定長さのコイル状ファスナーエレメント３をファスナーテープ２から取り除いたファスナーエレメント除去部６が形成されている。ファスナーエレメント除去部６には、ファスナーエレメント３をファスナーテープ２に取り付けるために用いた芯紐７と二重環縫等の縫着糸８とが残存している。
【０００９】
なお、ファスナーチェン１は、コイル状ファスナーエレメントのみでなく、ポリアミド、ポリエステルなどのモノフィラメントが形成されたジグザグ状ファスナーエレメント、また単体の金属製ファスナーエレメント、さらに熱可塑性樹脂による単体の射出成形ファスナーエレメントなど各種のファスナーエレメントを用いたファスナーチェンであってもよい。
【００１０】
また、ファスナーエレメント除去部６は、ファスナーエレメント３をファスナーテープ２の編成と同時に編み込んだ編み込みスライドファスナーにおいて、ファスナーエレメント３をファスナーテープ２へ締め付けて固定するエレメント固定糸のみの場合もある。
【００１１】
ファスナーチェン１に形成されたスペース部５の表面へ図２に示すように表面が熱可塑性エラストマーフィルム１１ａ、裏面がホットメルト形接着剤１１ｂの二層からなる補強テープ１０、たとえば表面がポリエステル系エラストマーフィルム、裏面にポリエステル系ホットメルト形接着剤を配した補強テープ１０をスペース部５の表面へ供給して超音波溶接加工によって貼着する。補強テープ１０は、図３に示すようにスペース部５のファスナーテープ２の表面およびファスナーテープ２に残存するファスナーエレメント除去部６としての芯紐７および二重環縫の縫着糸８を、一連の補強テープ１０で包被する形で超音波溶接加工で貼着し、加熱成形によってスペース部５の縁部９をＵ字状に成形する。
【００１２】
補強テープ１０として、上記のフィルム以外に多層フィルム、繊維強化フィルムなどの樹脂フィルム、その他合繊のフィラメント糸、あるいはレーヨン、アセテート、ナイロン、ポリエステルなどを使ったタフタに上記のホットメルト形接着剤などの接着剤を添装または介在させて、超音波、高周波、ヒーターなどの接着手段によって、補強テープ１０をスペース部５のファスナーテープ２の表面およびファスナーテープ２からファスナーエレメント３を除去した除去部６に貼着してもよい。
【００１３】
上記のようにスペース部５の表面に補強テープ１０を貼着したファスナーチェン１をスペース部５でカットし、カットした端部に図４に示すような金属製の断面略角筒状の開離嵌挿具１３の蝶棒１６をファスナーエレメント除去部６を含めた端縁を包被する形で取り付ける。また箱棒１５も対称的にスペース部５の端部に取り付け、箱棒１５の先端には箱体１４が図５に示すように取り付けて開離嵌挿具１３が完成する。またスペース部５でカットしたファスナーチェン１の他端には上止具を装着する。
【００１４】
なお、開離嵌挿具１３として、箱体１４、箱棒１５、蝶棒１６の全てをポリアミド、ポリアセタール、ポリプロピレン、ポリブチレンテレフタレートなどの熱可塑製樹脂を用いて、それぞれ射出成形手段によって成形し取り付けることもできる。
【００１５】
完成された開離嵌挿具１３を備えた隠しスライドファスナーの操作は、図６に示すように箱棒１５と箱体１４とを固定した開離嵌挿具１３の箱体１４に対し、ファスナーチェン１のストリンガに挿通されているスライダー２０を衝合させ、スペース部５に固定した蝶棒１６をスライダー２０のガイド溝２４および箱体１４の蝶棒挿入孔１８へ挿入した後、スライダー２０を引き上げて左右のファスナーエレメント３を噛合させてファスナーチェン１を閉鎖させる。この開離嵌挿操作の際、蝶棒１６をスライダー２０へ挿入するとき、スペース部５におけるファスナーテープ２の縁部９の表面に貼着した補強テープ１０がスライダー２０の案内柱２２に接触し、ファスナーテープ２が直接、案内柱２２と接触することがない。
【００１６】
この形態の隠しスライドファスナーにおけるスペース部５に補強テープ１０を貼着する加工手段の一例を示すと、図１０に示すように、左右のアンビル３０の中央に間隙を設け、この間隙に押下杆３１が挿入できる工具ホーン３２をアンビル３０の上側に配し、ファスナーテープ２の縁部９をＵ字状にガイドできるアンビル３０に分離した状態でファスナーチェン１をアンビル３０上に載置し、表面が熱可塑性エラストマーフィルム１１ａ、裏面がホットメルト形接着剤１１ｂから形成した補強テープ１０を、ホットメルト形接着剤１１ｂがファスナーテープ２に接触できるように左右のファスナーテープ２上に載置した後、工具ホーン３２をアンビル３０に対し、降下させ、間隙部分で補強テープ１０をＵ字状に押し下げると同時に、工具ホーン３２をアンビル３０に圧接して超音波溶接加工を行う。次に押下杆３１で押し下げられた補強テープ１０の先端をカットし、カットされた補強テープ１０をスペース部５の端部に存在する芯紐７、縫着糸８によるファスナーエレメント除去部６を包被する形で、図１１に示すように上方から工具ホーン３２にアンビル３０に対し降下圧接して超音波溶接を行って、スペース部５に補強テープ１０を貼着し、縁部９を成形する。
【００１７】
図８に示す変形例は、ファスナーテープ２のスペース部５に補強テープ１０を貼着する加工手段が前例とは異なり、スペース部５のＵ字状の縁部９をアンビル３０に固定し、アンビル３０に対し横方向からファスナーテープ２に貼着するホットメルト形接着剤１１ｂを添装した補強テープ１０と、ファスナーテープ２の端縁に残存する芯紐７、縫着糸８のファスナーエレメント除去部６を包被するホットメルト形接着剤１１ｂを添装した補強テープ１０を別体に形成して、それぞれの個所へ横方向から供給し、双方の補強テープ１０をスペース部５のＵ字状の縁部９で上方から工具ホーン３２をアンビル３０に対し圧接し、芯紐７の側面において双方の補強テープ１０を重合し接合部１２を形成するように超音波溶接を行って、スペース部５の表面へ補強テープ１０を貼着し、補強テープ１０の接合部１２でカットする。この形態の貼着加工は、きわめて簡単な作業でスペース部５を成形加工ができ、補強テープ１０を貼着後、ファスナーテープ２に貼着した補強テープ１０と、ファスナーエレメント除去部６を包被する補強テープ１０とを接合した接合部１２とファスナーエレメント除去部６とを一体に包被する形で蝶棒１６を取り付ける。また箱棒１５も同様に対称的に取り付け、隠しスライドファスナーのスペース部が完成する。
【００１８】
なお図１３に示すように、ファスナーテープ２に貼着する補強テープ１０と、ファスナーエレメント除去部６の表面を包被する補強テープ１０を一連の補強テープ１０を用いてアンビル３０に対し上方から工具ホーン３２を降下圧接して、ファスナーテープ２に貼着する補強テープ１０と、ファスナーエレメント除去部６を包被する補強テープ１０とを貼着し、芯紐７の側面で接合した接合部１２でカットして用いることもできる。
【００１９】
図９に示す変形例は、図３に示した隠しスライドファスナーのスペース部５のファスナーテープ２およびファスナーエレメント除去部６の表面を包被する形で補強テープ１０を貼着し、このスペース部５の裏面にもホットメルト形接着剤１１ｂを添装した補強テープ１０を一様に貼着した隠しスライドファスナーのスペース部５である。スペース部５の表裏に熱可塑性エラストマーフィルムを貼着したスペース部５に対し、図４に示す形で開離嵌挿具１３の蝶棒１６をファスナーテープ２の側縁とファスナーエレメント除去部６とを包被するように装着したスペース部５であり、スペース部５を強固に成形固定することができる。また箱棒１５も同様に対称的に取り付けて隠しスライドファスナーのスペース部５を完成する。
【００２０】
【発明の効果】
この発明の隠しスライドファスナーの開離嵌挿具の取付部は、以上説明したとおりの構成であり、この構成によって下記の効果を奏するものである。
【００２１】
この発明の請求項１記載の発明は、隠しスライドファスナーのファスナーテープにおける開離嵌挿具を装着するファスナーエレメントを除去したスペース部の表面に補強テープを貼着してＵ字状に成形した縁部の表面を被覆し、該縁部の裏面からファスナーエレメント除去部にかけて、包被する形で開離嵌挿具の箱棒または蝶棒を装着し、ファスナーテープのＵ字状の縁部の表面が露呈する形に形成したことによって、開離嵌挿具付隠しスライドファスナーにおけるスペース部の表面を補強し、蝶棒をスライダーおよび箱体に挿入する際、円滑に挿入操作ができ、しかもスペース部の表面がスライダーの案内柱に擦過しても、ファスナーテープが直接案内柱に摺接しないので、ファスナーテープが摩耗し損傷することがなく、ファスナーテープを保護しそのうえスペース部のＵ字状の縁部を有効に利用し、確実に開離嵌挿機能が果たせる開離嵌挿具を容易に取り付けることができる効果がある。
【図面の簡単な説明】
【図１】  長尺隠しスライドファスナー用チェンの裏面の斜視図である。
【図２】  貼着用の補強テープの断面図である。
【図３】  隠しスライドファスナーのスペース部の断面図である。
【図４】  同上スペース部に蝶棒を装着した場合の断面図である。
【図５】  隠しスライドファスナーの開離嵌挿具の開離時の詳細な正面図である。
【図６】  同上隠しスライドファスナーの開離嵌挿具の開離時の正面図である。
【図７】  同上隠しスライドファスナーの蝶棒の嵌挿時におけるスライダーを含むファスナーチェンの断面図である。
【図８】  スペース部に蝶棒を装着した場合の変形例を示す断面図である。
【図９】  スペース部の表裏に補強テープを貼着した場合の変形例を示す断面図である。
【図１０】  加工手段の要部を示す断面図である。
【図１１】  同上の加工手段の要部を示す断面図である。
【図１２】  他の加工手段の要部を示す断面図である。
【図１３】  同上の変形例を示す断面図である。
【符号の説明】
１        ファスナーチェン
２        ファスナーテープ
３        ファスナーエレメント
５        スペース部
６        ファスナーエレメント除去部
９        縁部
１０        補強テープ
１２        接合部
１３        開離嵌挿具
１５        箱棒
１６        蝶棒
【図１】
0003733332.tif 000002
【図２】
0003733332.tif 000003
【図３】
0003733332.tif 000004
【図４】
0003733332.tif 000005
【図５】
0003733332.tif 000006
【図６】
0003733332.tif 000007
【図７】
0003733332.tif 000008
【図８】
0003733332.tif 000009
【図９】
0003733332.tif 000010
【図１０】
0003733332.tif 000011
【図１１】
0003733332.tif 000012
【図１２】
0003733332.tif 000013
【図１３】
0003733332.tif 000014